(57)【特許請求の範囲】
【請求項１】
伸縮するチューブ（３，５）用のクランプ用デバイス（１）に於いて、該デバイスが連続する長さ方向のスロット（２５）を備える中空のシリンダーである半径方向に広げ得るクランプ用部品（２１）と、該クランプ用部品（２１）の２つの端部に割り当てられた円すい状の膨張ボデイ（１７，１９）と、を具備しており、該２つの膨張ボデイ（１７，１９）は該クランプ用部品（２１）に対し移動させられことが可能であること、該膨張ボデイ（１７，１９）は相対するねじを有するねじ付きロッド（１１）のねじ付きセクション（１３，１５）上にねじ込まれていること、そしてねじ付きロッド（１１）を有するねじ付き部品（７）が該伸縮するチューブ（３，５）の内側チューブ（３）に取り付けられることを特徴とするクランプ用デバイス。
【請求項２】
該内側チューブ（３）に隣接する該ねじ付きセクション（１３）が該内側チューブ（３）から遠い該ねじ付きセクション（１５）より大きい直径を有することを特徴とする請求項１のクランプ用デバイス。
【請求項３】
クランプ用部品（２１）を形成する中空シリンダーがその２つの端部から進む溝を（２３）を有することを特徴とする請求項１又は２のクランプ用デバイス。
【請求項４】
該中空シリンダーの各端部上に直径に沿い互いに反対にある２つの溝（２３）があることを特徴とする請求項３のクランプ用デバイス。
【請求項５】
該溝（２３）が該中空シリンダーの端部上で互いに９０度だけ片寄っていることを特徴とする請求項３又は４のクランプ用デバイス。
【請求項６】
該膨張ボデイ（１７，１９）がそれらのより小さい直径の端部で該クランプ用部品（２１）と契合することを特徴とする請求項１から５のいずれか１つのクランプ用デバイス。
【請求項７】
該膨張ボデイ（１７，１９）がより大きい直径を有するそれらの端部で該外側チューブ（５）の材料に対し摩擦を増加させられることを特徴とする請求項１から６のいずれか１つのクランプ用デバイス。
【発明の詳細な説明】
【技術分野】
【０００１】
本発明は、伸縮するチューブ（telescoping tubes）、特にスポーツで使用するポール又は杖（staff）用で、請求項１の前文の特徴（features of the introductory part）を有する、半径方向に膨張可能な（radially expandable）クランプ用部品（clamping part）を備えるクランプ用デバイス（clamping device）に関する。
【０００２】
これらのクランプ用デバイスは該伸縮するチューブの相互に対する位置を固定するため使われる。
【背景技術】
【０００３】
これらのデバイスは、例えば、スポーツで使われ、スキーポール（ski poles）、ハイキング杖（hiking staffs）等の様に可変長さ（variable length）の杖又はポールで公知である。例えば、特許文献１及び２を参照されたい。
【０００４】
内側チューブ（inner tube）上の該公知のクランプ用デバイスは固定され、回転し得ないねじ付きロッド（threaded rod fixed unable to turn）を有する。このねじ付きロッド上にクランプ用部品が置かれる。該クランプ用部品は該ねじ付きロッド上にねじ込まれた円すい（cone which is screwed onto the threaded rod）｛“膨張ボデイ”（expansion body）｝と相互作用（interacts）する。該円すいは外側チューブ（outer tube）の内部に隣接するが、該外側チューブ内へ該内側チューブが望遠鏡の仕方で（in the manner of a telescope）挿入されるので、該チューブが相互の方へ回されると、該円すいは、回転方向に依り、膨張クランプ用部品に向かう方向か、又はそれから離れる方向へ、動かされる。対応する回し方により、該クランプ用部品は膨張させられ、かくして該チューブの位置は互いに固定され得る。もし該位置が変えられるべきなら、該クランプ用デバイスを外すために反対方向に回転し（turning）、新位置が設定され得る。
【０００５】
これらの公知の実施態様の欠点は該膨張ボデイが１つの側からのみ該クランプ用部品に作用するので、例えばポール部品を形成する２つのチューブの相互に対する相対的位置を固定するためには、充分なクランプ作用は比較的大きな力を費やしてのみ（with a relatively great expenditure of force）達成され得ることである。
【０００６】
最初に述べた種類のクランプ用デバイスは特許文献３から公知である。
【特許文献１】ＡＴ３９７３５５Ｂ
【特許文献２】ＡＴ４０４３２４Ｂ
【特許文献３】欧州特許出願公開第ＥＰ０３１４３５７Ａ号明細書
【発明の開示】
【発明が解決しようとする課題】
【０００７】
本発明の目的は、膨張クランプ用部品（expansion clamping part）で作動し、必要なクランプ作用（required clamping action）が過去に於けるより低い力を費やすだけで達成される、伸縮するチューブ、特にポール等、用のクランプ用デバイスを考案（devise）することである。
【０００８】
この目的は請求項１の特徴を有するクランプ用デバイスで達成される。
【０００９】
本発明で請求する該クランプ用デバイスの有利で好ましい構成は従属請求項の主題を成す。
【課題を解決するための手段】
【００１０】
本発明で請求されるデバイスでは、該短縮するチューブ間の摩擦結合（f rictional connection）によるクランプ作用（clamping）を引き起こす該膨張クランプ用部品は各々の１つの円すい（膨張ボデイ）により２つの側から作用されるので、該クランプ作用（clamping action）は大いに改良される。
【００１１】
本発明の枠組み内で、該クランプ用部品と相互作用する２つの膨張ボデイ（expansion bodies）が、該ねじ付きロッドの相対するねじ部（opposing threads）｛１つの左ねじ（one left-handed thread）と１つの右ねじ（one right-handed thread）｝を有するセクション（sections）上に置かれ、その上にねじ込まれること、がもたらされる。かくして、例え僅かな回転運動（rotary motion）に対しても、該２つの円すい状膨張ボデイの該クランプ用部品に対する比較的大きな軸方向運動が達成される。この実施態様では、小さな回転に対して、該２つのチューブ、例えば、ポール部品をそれらの選択された相対的位置（該ポールの望ましい長さに対応する）に互に固定するのに必要なクランプ力が加えられる。
【００１２】
本発明で請求する該クランプ用デバイスの他の詳細、特徴及び利点は好ましい実施態様の下記記述で説明される。
【００１３】
本発明で請求するクランプ用デバイス１は、好ましくは殆んど遊び（little play）を有しない、外側チューブ５内に挿入されるチューブ３（又はロッド）の端部上に配置される。該チューブ３及び５を相互に向かって動かすことにより、相互に対する該チューブ３及び５の相対的位置は変えられ、例えばスポーツ用ポール又は杖（スキーポール、ハイキング杖等）の長さはその時望まれる値に設定され得る。
【００１４】
特に、該クランプ用デバイス１はノッチ（notches）９により該チューブ３に固定されているねじ付き部分７を有し、チューブ３上に突出するそのねじ付きロッド１１は相対するねじを有する２つのセクション１３及び１５を有する。ここで該チューブ３に隣接するセクション１３のねじは、該ねじ付きロッド１１の自由端の範囲のねじ付きセクション１５のねじより大きい直径を有するように作られる。
【００１５】
該クランプ用デバイスは２つの円すい状の膨張ボデイ１７と１９を有する。該膨張ボデイ１７は該ねじ付きロッド１１の根の上のより太いねじ１３に対応する内面ねじ（internal thread）を有する。該膨張ボデイ１９は該ねじ付きロッド１１の自由端上のより細いねじ１５に対応する内面ねじを有する。
【００１６】
該膨張ボデイ１７及び１９の間に半径方向に膨張可能な｛広げることが出来る（widenable）｝クランプ用部品２１があり、それと円すい状の膨張ボデイ１７及び１９はそれらのより小さい直径の端部で契合する。該クランプ用部品２１は円柱状チューブであり、該チューブはその２つの側から長さ方向の中央へ概略導く溝（recesses）２３を有する。該クランプ用部品２１の１端の該溝２３は該クランプ用部品２１のもう１つの端部上の該溝２３に対し例えば９０°だけ片寄って配置されるのが好ましい。加えて、該クランプ用部品２１を形成する該円柱状チューブは連続してスロットを付けられる（continuously slotted）（スロット２５）。かくして該クランプ用部品２１は該膨張ボデイ１７及び１９の作用下で半径方向に膨張させられ得る。
【００１７】
該クランプ用デバイス１は該クランプ用デバイス１を装備するチューブ３の上に押しつけられる外側チューブ５の内部と契合するが、該膨張ボデイ１７及び１９のより大きい直径の端部は、それらが摩擦契合（frictional engagement）により該外側チューブ５の内面と隣接するよう寸法付けられている（dimensioned）。加えて、それらのより太い端部（より大きい直径を有する端部）上の該膨張ボデイ１７及び１９は摩擦を増加させる手段を装備することが出来る。それらは該外側チューブ５の材料と比較して高い摩擦係数を有する｛ゴム−弾性の（rubber-elastic）｝材料の、例えば、リブ（ribs）、歯（teeth）又は環状インサート（annular inserts）とすることが出来る。
【００１８】
該クランプ用デバイス１が取り付けられるチューブ３がもう１つのチューブ５に対し回転すると、対応する回転方向について、該膨張ボデイ１７と１９は相互に近づき、該クランプ用部品２１の端部内へ更に貫入（penetrate）し、それがもう１つのチューブ３に対し最早シフトされ得ないよう該外側チューブ５の内面にそれが確実に隣接するまで、該部品をその全長に亘り半径方向に本質的に均一に広げる。
【００１９】
本発明で請求するクランプ用デバイス１の全部品はプラスチックで作ることが出来て、該膨張ボディ１７及び１９用には該チューブ（一般的に金属チューブ）の内面上に比較的大きい摩擦を有するプラスチックが好ましい。
【００２０】
要するに、本発明の１実施態様は下記の様に説明される：
スポーツに使われるポール又は杖、特にスキーポール、の伸縮するチューブ３と５の位置を相互に対し固定するために、該チューブ３と５の中にクランプ用デバイス１がある。該クランプ用デバイス１はクランプ用部品２１と、該クランプ用部品２１の端部に割り当てられる膨張ボデイ１７及び１９と、を有する。該膨張ボデイ１７及び１９は、相対するねじを付けられたセクション１３及び１５を有するねじ付きロッド１１上へねじ込まれる。該チューブ３及び５の相互に対する相対回転により、該膨張ボデイ１７及び１９は、対応して選ばれた回転方向に対して、該クランプ用部品２１の２つの端部から該クランプ用部品２１内へ貫入（penetrate）し、それをその全長に亘り半径方向に本質的に均一に広げるので、それは摩擦結合で該外側チューブ５の内面と隣接し、かくして一旦それが設定されると該ポールの長さを固定する。
【図面の簡単な説明】
【００２１】
【図１】外側チューブを有しない、本発明で請求するクランプ用デバイスを斜視図で示す。
【図２】同様に外側チューブを有しない、本発明で請求するクランプ用デバイスの個別部品を示す。
【図３】２つのチューブの重なり合っている範囲でのクランプ用デバイスを軸方向断面で示す。
【図１】
0004374024.tif 000002
【図２】
0004374024.tif 000003
【図３】
0004374024.tif 000004